(57)【要約】      （修正有）【課題】ヘッドサポートを備えているベビーキャリアであって、使用時には幼児の頭部回りの快適性を維持し、不使用時にはキャリア本体に収納保管しておけるベビーキャリアを提供する。【解決手段】幼児ｂの頭部を保持するヘッドサポート２は柔軟なシート地材にて形成されて上部側領域に所定の保形性を有するパッド部材１０を備え、幼児ｂを収容保持するキャリア本体１の背当て部にはヘッドサポート２を不使用時に収納保管しておくための収納部が備えられている。【選択図】図４
0003170974.tif 000002
【実用新案登録請求の範囲】
【請求項１】
幼児を収容保持するキャリア本体と、
該キャリア本体に設けられて幼児の頭部を保持するヘッドサポートと、
前記キャリア本体を設けられて該キャリア本体を支持する左右の肩掛けベルトと、
前記ヘッドサポートを前記左右の肩掛けベルトに着脱可能に連結する連結手段と、を備えるベビーキャリアであって、
前記ヘッドサポートは、柔軟なシート地材にて形成されているとともに、所定の保形性を有するパッド部材を上部側領域において幅方向両側にわたり備えていることを特徴とするベビーキャリア。
【請求項２】
前記ヘッドサポートは、前記パッド部材が内設されている上部側領域との境界下部における両側が前記連結手段により前記左右の肩掛けベルトに連結され、前記上部側領域が下部側領域側に向けた背面上に重なるように折り返し可能に形成されていることを特徴とする請求項１に記載のベビーキャリア。
【請求項３】
前記ヘッドサポートは、前記キャリア本体の背当て部の上部縁辺に取り付けられ、当該背当て部には上部縁辺に開口部を有して前記ヘッドサポートを収納保管するための収納部を備えていることを特徴とする請求項１または請求項２に記載のベビーキャリア。
【考案の詳細な説明】
【技術分野】
【０００１】
本考案は、幼児を抱っこやおんぶの状態で保持するベビーキャリアに係り、特に、幼児の頭部を保持（安定）させるためのヘッドサポートに関する。
【背景技術】
【０００２】
ベビーキャリアは、幼児を抱っこやおんぶの状態で保持しているとき、幼児の頭部を保持（安定）させるためのヘッドサポートを備えている。ヘッドサポートを備えているベビーキャリアとしては、種々の形態が提案されている（例えば、特許文献１などを参照）。
この特許文献１に記載されているベビーキャリアは、キャリア本体の背当て部の上部に、両側から側方に向けて帯状に延びる左右の帯状部に備えられているヘッドサポートを着脱材に取り付け、左右の帯状部に取り付けられている雄雌一方のホックを、左右の肩掛けベルト側に取り付けられている雄雌他方のホックにそれぞれ係脱自在に係合させることで、ヘッドサポートを左右の肩掛けベルトに連結させる構成としている。
【先行技術文献】
【特許文献】
【０００３】
【特許文献１】特開平１１−２７６３１１号公報
【考案の概要】
【考案が解決しようとする課題】
【０００４】
前記の特許文献１に記載の従来技術では、同文献１の図７に開示されているように、ヘッドサポートがクッション材による積層（５層）構造によって形成されているので、クッション材による衝撃吸収作用が得られて幼児の頭部を衝撃などから保護する上では有効な手段（手法）と言える。また、ヘッドサポートはクッション材による構成に加えてクッション材の外側に硬い板状の心材を備えていることで、同文献１の図１３に開示されているように、左右の肩掛けベルトに連結させた使用状態においてヘッドサポートは形状が崩れることなく保たれる。これにより、ヘッドサポートの形状が崩れて幼児の顔面などに触れるなどによる違和感を与えること、起きている幼児の視界を狭めること、などのおそれがない状態で幼児の頭部を保持することができる。
【０００５】
ところで、ヘッドサポートの使用は、例えば、生後間もない首がすわる前の乳児期から首がすわる生後約３〜４ヶ月の間において継続的に使用する一方で、首がすわっている幼児の場合には寝たときなどに一時的に使用するというように使用期間は短く、また、使用頻度も少ない。
【０００６】
しかしながら、従来技術では、ヘッドサポートが積層構造のクッション材により厚みがあり、クッション材の外側に心材を備えていることで、使用しないときの保管性などにおいて不便性なものである。例えば、首がすわっている幼児を保持しての外出先などにおいて、幼児が目を覚ましてヘッドサポートが不使用となった時などにはヘッドサポートをキャリア本体から取り外し、手持ちの手提げバックなどに入れて保管しなければならない。
【０００７】
そこで、本考案は、このような問題を解消することを課題に創案されたものである。すなわち、ヘッドサポートを備えているベビーキャリアであって、使用時には幼児の頭部回りの快適性を高く維持すること、不使用時にはキャリア本体に折り畳むなどによって収納保管しておけること、などが本考案の目的である。
【課題を解決するための手段】
【０００８】
前記課題を解決するために、本考案では、幼児を収容保持するキャリア本体と、該キャリア本体に設けられて幼児の頭部を保持するヘッドサポートと、前記キャリア本体に設けられて該キャリア本体を支持する左右の肩掛けベルトと、前記ヘッドサポートを前記左右の肩掛けベルトに着脱可能に連結する連結手段とを備えるベビーキャリアであって、
前記ヘッドサポートは、柔軟なシート地材にて形成されているとともに、所定の保形性を有するパッド部材を上部側領域において幅方向両側にわたり備えていることを特徴とする。
【０００９】
ここで、前記ヘッドサポートは、前記パッド部材が内設されている上部側領域との境界下部における両側が前記連結手段により前記左右の肩掛けベルトに連結され、前記上部側領域が下部側領域側に向けた背面上に重なるように折り返し可能に形成されていること、また、前記ヘッドサポートは、前記キャリア本体の背当て部の上辺縁部に取り付けられ、当該背当て部には前記ヘッドサポートを収納保管するための収納部を備えていること、などの構成を採用することが好適なものとなる。
【００１０】
このような構成によれば、ヘッドサポートの両側を連結手段により左右の肩掛けベルトにそれぞれ連結させて使用しているとき、ヘッドサポートの上部側領域の形が大きく崩れることなく、パッド部材によって形状が平面視で略弓なりに定形保持されて、頭部回り、特に、頬部から側頭部に至る両側部分に空間が確保される。
そして、幼児が寝ているときにはヘッドサポートの上部側領域を立てておくことで、幼児の頭部全体をすっぽりと保護するように頭部を保持させることができ、一方、幼児が起きているときには上部側領域を下部側領域側に向けた背面上（表面側）に重なるように折り返すことで、頭部の上方側を大きく解放させた状態で頭部の保持を継続させることができる。つまり、首がすわらない幼児が起きているときは、頭部全体をすっぽりと完全に覆うことなく、視界を広げた状態で頭部（後頭部）を安定的に保持させることができる。
【００１１】
また、首がすわっている幼児が目を覚ますなどによって、ヘッドサポートが不使用となったときには、左右の肩掛けベルトに対する連結手段による連結を解除することで、柔軟なシート地材から形成されて上部側領域のみにパッド部材を備えているヘッドサポートを折りたたむなどによって嵩張ることなく、キャリア本体の背当て部に備えられている収納部に収納保管することができる。このとき、収納部の開口部は、ヘッドサポートが縫着などによって取り付けられる背当て部の上部辺縁に設けられているので、ヘッドサポート全体を収納部へと速やかに収納させることができる。
【考案の効果】
【００１２】
本考案のベビーキャリアによれば、ヘッドサポートの使用時には頬部から側頭部に至る両側部分に確保される両側空間によって幼児の頭部回りの快適性を高く維持することができる。すなわち、幼児の頭部を安定的に保持させたうえで、幼児の顔面などにヘッドサポートが触れるなどによる違和感や圧迫感を与えること、視界（視線）を遮ること、などのおそれがない快適性を幼児の頭部回りに確保維持することができる。
【００１３】
また、ヘッドサポートの不使用時には、折りたたむなどによってコンパクトにまとめてキャリア本体の背当て部に備えられている収納部に収納保管しておくことができる。
【００１４】
また、幼児が起きているときには、ヘッドサポートの上部側領域を下部側領域に向けた背面上に重なるように折り返すことで、頭部周りの快適性に加えて、視界をさらに広げた状態で幼児の頭部を安定的に継続保持させることができる。つまり、活発で好奇心の旺盛な幼児が起きているときには視界をさらに広げた状態で幼児の頭部（後頭部）を安定的に保持させることができる。
【００１５】
このように、本考案によれば、ヘッドサポートの使用時には幼児の頭部回りの快適性を確保維持しながら、幼児が寝ているとき、起きているときの状況に合わせた対応にて幼児の頭部を安定良く、安全に保持することができ、しかも、ヘッドサポートの不使用時には折りたたむなどによってキャリア体に収納保管しておくことができるなど、の使用上の利便性に優れたベビーキャリアを提供することができる。
【図面の簡単な説明】
【００１６】
【図１】本考案の実施形態に係るベビーキャリアの一例を内側から見たときの展開説明図である。
【図２】外側から見たときの同展開説明図の要部を示し、（ａ）は、ヘッドサポートが収納部から取り出されている状態を示し、（ｂ）は、ヘッドサポートが収納部に収納保管されている状態を示す。
【図３】ヘッドサポートを肩掛けベルトに連結する連結手段を示す斜視図である。
【図４】対面抱っこでの使用例を、パッド部材が内設されているヘッドサポートの上部側領域を立てた状態で示す説明図である。
【図５】同説明図の要部を示し、（ａ）は、拡大斜視図であり、（ｂ）は拡大平面図である。
【図６】同要部の拡大斜視図において、ヘッドサポートの上部側領域を折り返した状態を示す。
【考案を実施するための形態】
【００１７】
以下、本考案の実施形態について、適宜図面を参照しながら詳細に説明する。
図１は、本実施形態に係るベビーキャリアの一例を内側から見たときの展開説明図であり、図２は、外側から見たときの同展開説明図において、ヘッドサポートが収納部から取り出されている状態およびヘッドサポートが収納部に収納保管されている状態を示す。
本実施形態に係るベビーキャリアＡは、幼児ｂを抱っこ（対面抱っこや前向き抱っこ）やおんぶの縦抱き状態で保持するように構成されている。
【００１８】
≪ベビーキャリアの構成≫
ベビーキャリアＡは、図１に示すように、キャリア本体１と、このキャリア本体１の上辺縁部に取り付けられるヘッドサポート２と、キャリア本体１の両側部分を形成するようにその両側から上方に延設されて設けられる左右の両肩掛けベルト３と、ヘッドサポート２の両側を左右の肩掛けベルト３に連結するための連結手段４とを備えて構成されている。
【００１９】
≪キャリア本体の構成≫
キャリア本体１は、例えば、通気性に優れたメッシュなどからなる内張り素材と撥水性などに優れたナイロンなどからなる外張り素材との重ね合せシート地材を用いた縫製によって形成されている。
このキャリア本体１は、図１に示すように、幼児ｂの背中全体と両脇を包み込むように保持する背当て部１ａと、この背当て部１ａから延設されて幼児ｂの尻を受けるように保持する尻受け部（股当て部）１ｂとから、上部縁辺側を広く、下部縁辺側に至るにしたがって幅狭くなる縦長で逆向きの略台形形状に形成されている。
【００２０】
そして、キャリア本体１の背当て部１ａには、図１および図２に示すように、ヘッドサポート２を収納保管するための収納部５が設けられている。
収納部５は、背当て部１ａがシート地材を用いて縫着されるときに、背当て部１ａの上部縁辺を除いて縫着することによって、図２に示すように、背当て部１ａの上部縁辺に開口部５ａを有して背当て部１ａの表面側に袋状（ポケット状）に形成されるものである。これにより、図２の（ｂ）に示すように、ヘッドサポート２を使わないときに出し入れ自在に収納保管されるようになっている。
【００２１】
なお、図示を省略しているが、収納部５の開口部５ａにベルベットファスナ（登録商標名：マジックテープ）、その他の係脱自在な開閉部材を備えて、収納されたヘッドサポート２が不用意に飛び出さないように収納部５の開口部５ａを閉じられるようにするとよい。
【００２２】
また、キャリア本体１の背当て部１ａには、図１に示すように、雄雌一対のバックル６ａ，６ｂによって係脱自在に連結される補助ベルト７が縫着されて取り付けられている。
補助ベルト７は、幼児ｂの上半身に巻き付けるように装着されるもので、幼児ｂをより安全に保持し得るように背当て部１ａに備えられている。
【００２３】
また、図１に示すように、キャリア本体１の背当て部１ａの両側と尻受け部１ｂの両側との間を繋ぎ止めるように伸縮性を有する繋ぎ部材８が備えられている。つまり、幼児ｂを抱っこやおんぶで保持するときに、後記の図４に示すように、繋ぎ部材８によって繋ぎ止められた背当て部１ａと尻受け部１ｂとの間に幼児ｂの足が通された状態で尻受け部１ｂに幼児ｂの尻が受け保持されるようになっている。
【００２４】
≪ヘッドサポートの構成≫
ヘッドサポート２は、通気性に優れたメッシュなどからなる内側素材と撥水性などに優れたナイロンなどからなる外側素材との重ね合せシート地材を用いた縫製によって、図１および図２に示すように、上部辺側を広く、下部辺側に至るしたがって幅狭くなる逆向きの略台形形状に形成されている。
さらに、ヘッドサポート２は、図１および図２に示すように、上部側領域の両側が側方に向けて大きく湾曲させた側方突出部と成している。これにより、使用状態において幼児ｂの後頭部から側頭部に至るように頭部の略全体を両側から保護し得るようになっている（後記の図５参照）。
【００２５】
そして、このように形成されているヘッドサポート２は、下部縁辺側が収納部５の開口部５ａが設けられている背当て部１ａの上部縁辺に縫着により取り付けられるとともに、上部側領域に所定の保形性を有するパッド部材９を備えている。
【００２６】
≪パッド部材の構成≫
パッド部材９は、後記の図４および図５に示すように、ヘッドサポート２の両側を連結手段４により左右の肩掛けベルト３にそれぞれ連結させたヘッドサポート２の使用形態において、ヘッドサポート２を平面視で略弓なりに定形保持する役目を成すものである。
このパッド部材９は、所定の保形性を有するように加工された厚めの布地やウレタン（クッション材）などの所望の材料を用いて、ヘッドサポート２を形成する内張り素材と外張り素材との間に、ヘッドサポート２の上部辺縁に沿わせた上部側領域において幅方向両側にわたり内設される形状に形成されている。
これにより、後記の図４〜図６に示すヘッドサポート２の使用において、形が大きく崩れることなく、幼児ｂの頭部回り、特に、頬部から側頭部に至る両側部分に空間が確保された快適的な保持状態で頭部を保持し得るようにしている。
【００２７】
≪肩掛けベルトの構成≫
肩掛けベルト３は、キャリア本体１の両側から上方に延設するように縫着されて取り付けられる肩掛け帯部３ａと、この肩掛け帯部３ａの解放端側に一端側が取り付けられるとともに、他端側がキャリア本体１の尻受け部１ｂの両側に取り付けられ、かつ、長さを調整自在とする連結ベルト部３ｂとから形成されている。
【００２８】
肩掛け帯部３ａは、後記の図４に示すように、使用者（保護者）Ｂの前側（胸元）から後側（背中）にかけて掛け渡されたときに、少なくとも使用者Ｂの首筋から両腕の一部にかかる程度の広い面積にて適宜の厚さを有するように、クッション材などを内部に内設させた幅広帯状に形成されて、縦抱きキャリア部１の背当て部１ａ、尻受け部１ｂの両側に縫着されて縦抱きキャリア部１に取り付けられる。これにより、使用者Ｂの肩に掛かる幼児ｂの体重などの負担が軽減されるようにしている。
【００２９】
連結ベルト部３ｂは、肩掛け帯部３ａの幅に対して略半分程度のベルト幅にて所定長さの帯状に形成されている。この連結ベルト部３ｂは、一端側が肩掛け帯部３ａの解放端側に縫着によって取り付けられ、他端側がキャリア本体１の尻受け部１ｂの両側に取り付けられている長さ調整環１０に折り返し挿通された状態で取り付けられる。
これにより、長さ調整環１０による繋ぎ部分の連結ベルト部３ｂの余剰ベルト部３ｂ−１の長さ範囲内で、使用者Ｂの体型や幼児ｂの成長などに合わせて、左右の両肩掛けベルト３によるキャリア本体１の支持長さを自在に調整変更し得るようになっている。
【００３０】
また、このように形成されている左右の肩掛けベルト３には、図１に示すように、ブリッジベルト１１が備えられている。このブリッジベルト１１は、抱っこやおんぶの状態での使用において、左右の肩掛けベルト３が使用者Ｂの両肩からずり落ちないように両肩掛けベルト３を連結するものであり、使用者Ｂの体格などに合わせて長さを調整可能で、雄雌一対のバックル１２ａ，１２ｂによって係脱可能に連結されるようになっている。
また、ブリッジベルト１１は、使用者Ｂの体格などに合わせて左右の肩掛けベルト３の肩掛け帯部３ａに対してその帯方向上下に移動できるようになっている。
【００３１】
≪連結手段の説明≫
つぎに、ヘッドサポート２の両側を左右の肩掛けベルト３に着脱可能にそれぞれ連結する連結手段４について説明する。図３は、本実施形態に係る連結手段を示す斜視図である。
連結手段４は、ヘッドサポート２を使用するときに、ヘッドサポート２の両側を左右の肩掛けベルト３にそれぞれ着脱自在に連結するためのものである。この連結手段４は、ヘッドサポート２の両側と左右の肩掛けベルト３の肩掛け帯部３ａに縫着されてそれぞれ取り付けられる連結ベルト１３，１４を含み、互いに係脱自在に係合される回転バックル１５から構成されている。
ヘッドサポート２の両側に取り付けられる連結ベルト１３は、左右の肩掛けベルト３に対する連結長さ（間隔）を調整可能とする調整ベルトである。
【００３２】
回転バックル１５は、雄側バックル１５ａと雌側バックル１５ｂとから差込み操作とプッシュ操作によって係脱自在で、かつ、所定の回転範囲内で回転可能に連結されるように構成されている。
【００３３】
雄側バックル１５ａは、図３に示すように、環状のタング１６と、タング１６にベルト通し取付部１７を一体に備えている。タング１６の環内には非押動状態においてその環一側にやや突出（膨出）するように内周基部１８ａを介して弾性変形自在に接合された解除操作部１８を備えている。
【００３４】
一方、雌側バックル１５ｂは、図３に示すように、ソケット１９と、ソケット１９にベルト通し取付部２０を一体に備えている。ソケット１９には、雄側バックル１５ａのタング１６を受け入れる空間部（凹部）２１が形成されており、この空間部２１にタング１６が抜き差し自在に挿入されるようになっている。さらに、雌側バックル１５ｂの壁部には空間部２１に通じる円形の掛止孔２２が設けられている。
【００３５】
これにより、雄側バックル１５ａのタング１６を雌側バックル１５ｂの空間部２１を差し込むことで、雄側バックル１５ａの操作部１８が掛止孔２２の孔縁に引っ掛かって雄側バックル１５ａが雌側バックル１５ｂから引き抜きが不能となり、回転バックル１５が係脱自在に連結される。そして、雄側バックル１５ａの操作部１８をプッシュするように押動させて操作部１８の掛止孔２２との掛止状態を解除することで、雄側バックル１５ａを雌側バックル１５ｂから引き抜いて回転バックル１５の連結を解除することができようになっている。
【００３６】
また、雄側バックル１５ａと雌側バックル１５ｂとが連結された状態において、操作部１８は掛止孔２２の孔縁に沿って回転可能である。これにより、ヘッドサポート２を左右の肩掛けベルト３に連結させたとき、ヘッドサポート２側の連結ベルト１３と左右の肩掛けベルト３側の連結ベルト１４との向きの相違に応じて雌側バックル１５ｂに対して雄側バックル１５ａが回転することで、連結ベルト１３，１４に捩じれなどが生じるおそれはない。よって、ヘッドサポート２を幼児ｂの頭部にフィットさせて頭部を安定的に保持させることができる。
【００３７】
また、本実施形態では、図１および２に示すように、左右の肩掛けベルト３に保護カバー２３をそれぞれ備えている。この保護カバー２３は、柔らかな布地やシート地材などによって形成されて筒状を成すように重なり合う両端部の重合面にはベルベットファスナ２４を備えて、左右の肩掛けベルト３の肩掛け帯部３ａに着脱可能で、かつ、帯方向に移動可能に装着されるように形成されている。これにより、幼児ｂを保持しているときに、幼児ｂの口元が位置する左右の肩掛けベルト３の肩掛け帯部３ａ部分に保護カバー２３を移動させておくことで、肩掛け帯部３ａが幼児ｂの涎などによって汚れることを防ぐ涎掛けとして利用することができ、しかも、保護カバー２３が汚れたときには肩掛け帯部３ａから取り外して手軽に洗うことができる。
【００３８】
また、この保護カバー２３は、図２の（ｂ）に示すように、ヘッドサポート２がキャリア本体１の収納部５に収納保管されるヘッドサポート２の不使用時において、左右の肩掛けベルト３側に取り付けられている雌側バックル１５ｂを覆う被覆カバーとしても利用することができる。これにより、ヘッドサポート２が不使用時には雌側バックル１５ｂへの幼児ｂの接触を防ぐことができ、しかも、ベビーキャリアＡの外観上の意匠性を考慮することができるなどの効果が得られる。
【００３９】
［作用説明］
つぎに、以上のように構成されている本実施形態に係るベビーキャリアＡに使用について簡単に説明する。
図４は、対面抱っこでの使用例を、ヘッドサポートの上部側領域を立てた状態で示す説明図であり、図５は、同要部の拡大斜視図および平面図であり、図６は、同要部の拡大斜視図において、ヘッドサポートを折り返した状態を示す。ここでは、生後間もない首がすわる前の乳児期の幼児を対面抱っこで保持する使用について説明する。
ヘッドサポート２の両側を左右の肩掛けベルト３に連結手段４によりそれぞれ連結し、幼児ｂの頭部を保持させる。このとき、幼児ｂが寝ている場合には、図４および図５に示すように、ヘッドサポート２の上部側領域を立てる。これにより、幼児ｂの頭部全体をすっぽりと覆うように頭部を保持させることができ、また、ヘッドサポート２の上部側領域が大きく崩れることなく、図５の（ｂ）に示すように、パッド部材１０によって形状が平面視で略弓なりに定形保持されて、頭部回り、特に、頬部から側頭部に至る両側部分に空間が確保されている状態で頭部（後頭部）を保持させることができる。
【００４０】
そして、幼児ｂが目を覚ました場合には、図６に示すように、上部側領域を下部側領域側に向けた背面上（外側）に重なるように折り返すことで、頭部の上方側を解放させた状態で頭部の保持を継続させることができる。つまり、首がすわらない幼児ｂが起きているときは、頭部全体をすっぽりと完全に覆うことなく、視界を広げた状態で頭部を保持させることができる。
【００４１】
このように本実施形態に係るベビーキャリアＡによれば、幼児ｂの頭部を安定的に保持させたうえで、幼児ｂの顔面などにヘッドサポート２が触れるなどによる違和感や圧迫感を与えること、視界（視線）を遮ること、などのおそれがない快適性を幼児ｂの頭部回りに確保し維持することができる。しかも、ヘッドサポート２の上部側領域を折り返すことで、頭部周りの視界をさらに広げた状態で幼児ｂの頭部を保持させることができる。つまり、活発で好奇心の旺盛な幼児ｂが起きているときには視界をさらに広げた状態で幼児ｂの頭部を保持させることができるものである。
【００４２】
以上、本考案の実施形態の具体例を詳細に説明したが、前記詳述の実施形態は例示にすぎなく、実用新案登録請求の範囲を限定するものではない。実用新案登録請求の範囲に記載の技術事項には、本考案の要旨を逸脱しない範囲で設計変更などしたものであっても含まれるものである。
例えば、キャリア本体１の尻受け部（股当て部）１ｂに使用者の腰に巻きつける腰ベルトを備えるなどの周知の形態を採用することができる。
【００４３】
また、連結手段４を構成する回転バックル１５に代えて、肩掛け帯部３ａを挟み込むように挾着する上顎と下顎からなる挟持具（クリップ）を用いることができる。この場合、左右の肩掛けベルト３側の連結ベルト１４は不要となり、ヘッドサポート２側の連結ベルト１３に挟持具を取り付けた形態となる。
【符号の説明】
【００４４】
Ａ      ベビーキャリア
１      キャリア本体
１ａ    背当て部
１ｂ    尻受け部
２      ヘッドサポート
３      肩掛けベルト
４      連結手段
５      収納部
５ａ    開口部
１０    パッド部材
【図１】
0003170974.tif 000003
【図２】
0003170974.tif 000004
【図３】
0003170974.tif 000005
【図４】
0003170974.tif 000006
【図５】
0003170974.tif 000007
【図６】
0003170974.tif 000008